(57)【要約】【課題】感光体カートリッジを誤って落下させるなどしたときに、カートリッジ電極が破損することを抑制できる感光体カートリッジを提供すること。【解決手段】  感光ドラム８と、感光ドラム８に対向するドラムクリーニングローラ１０と、感光ドラム８の右端部を軸受する右ドラム軸受３１Ｒと、ドラムクリーニングローラ１０のローラ軸５２の右端面に接触するローラ軸接触部９３を有するドラムクリーニング電極３３とを備えるドラムカートリッジ６において、右ドラム軸受３１Ｒに、ドラムクリーニング電極３３を受け入れる電極支持穴７２と、電極支持穴７２内に架設され、ドラムクリーニングローラ１０のローラ軸５２の右端面と当接するローラ軸当接部７３とを設け、ドラムクリーニング電極３３を、ローラ軸接触部９３がローラ軸当接部７３よりも右側に移動するように構成する。【選択図】図９
2014106349.tif 000002
【特許請求の範囲】
【請求項１】
感光体と、
前記感光体の軸線方向一方側端部を回転可能に保持する第１側壁と、
前記感光体の軸線方向他方側端部を回転可能に保持する第２側壁と、
前記第１側壁と前記第２側壁との間に配置され、前記感光体に対して前記軸線方向と直交する方向から対向する回転体と、
前記第１側壁に配置され、前記回転体に接触して外部から入力される電力を前記回転体に供給するためのカートリッジ電極であって、前記軸線方向に沿って延び、前記軸線方向に移動可能なカートリッジ電極と、
を備え、
前記カートリッジ電極は、
前記軸線方向において、前記回転体の一方側の端面に接触するように構成される第１接触部と、
前記軸線方向において、前記第１側壁を挟んで前記回転体とは反対側に配置される第２接触部であって、外部の電極に接触するように構成された第２接触部と、
を有し、
前記第１側壁は、
前記軸線方向に貫通し、前記カートリッジ電極が内部に配置される開口部と、
前記軸線方向と直交する方向において、前記開口部と重なるように配置された当接部であって、前記端面と当接するように構成される当接部と、
を有し、
前記カートリッジ電極は、前記第１接触部が前記当接部よりも前記軸線方向一方側に移動するように、構成されている
ことを特徴とする、感光体カートリッジ。
【請求項２】
前記当接部の少なくとも一部は、前記軸線方向と直交する方向において、前記第１接触部よりも前記回転体の軸線に対して近い位置に配置されている
ことを特徴とする、請求項１に記載の感光体カートリッジ。
【請求項３】
前記回転体は、前記軸線方向に移動可能であり、
前記カートリッジ電極の前記軸線方向における移動可能な距離は、前記回転体の前記軸線方向における移動可能な距離よりも大きい
ことを特徴とする、請求項１または２に記載の感光体カートリッジ。
【請求項４】
前記カートリッジ電極は、前記回転体の周面に接触され、前記回転体を回転可能に保持する保持部を備えている
ことを特徴とする、請求項１ないし３のいずれか一項に記載の感光体カートリッジ。
【請求項５】
前記回転体は、前記感光体と前記回転体との対向方向に移動可能であり、
前記第１側壁は、前記カートリッジ電極を前記対向方向に移動可能に支持する支持部を有する
ことを特徴とする、請求項４のいずれか一項に記載の感光体カートリッジ。
【請求項６】
前記支持部は、前記回転体に向かって突出し前記軸線方向に延びる係合部を有し、
前記保持部は、前記係合部と係合するように前記軸線方向に延びる溝状の被係合部を有する
ことを特徴とする、請求項５に記載の感光体カートリッジ。
【請求項７】
前記被係合部と前記当接部とは、連続している
ことを特徴とする、請求項６に記載の感光体カートリッジ。
【請求項８】
前記当接部は、前記感光体と前記回転体との対向方向に沿って設けられている
ことを特徴とする、請求項１ないし７のいずれか一項に記載の感光体カートリッジ。
【請求項９】
前記当接部は、前記軸線方向および前記対向方向の両方と直交する直交方向に突出する突出部を有する
ことを特徴とする、請求項８に記載の感光体カートリッジ。
【請求項１０】
前記当接部は、前記軸線方向における厚みの方が、前記直交方向における厚みよりも厚い
ことを特徴とする、請求項９に記載の感光体カートリッジ。
【請求項１１】
前記第１接触部は、前記直交方向において、前記当接部の両側に配置されている
ことを特徴とする、請求項９または１０に記載の感光体カートリッジ。
【請求項１２】
前記カートリッジ電極は、前記軸線方向に投影したときに前記回転体と重なるように配置されている
ことを特徴とする、請求項１ないし１１のいずれか一項に記載の感光体カートリッジ。
【発明の詳細な説明】
【技術分野】
【０００１】
本発明は、電子写真方式が採用される画像形成装置に装着される感光体カートリッジに関する。
【背景技術】
【０００２】
電子写真方式の画像形成装置として、感光体を有する感光体カートリッジと、現像剤を収容する現像カートリッジとを備える画像形成装置が知られている。
【０００３】
このような画像形成装置に装着される感光体カートリッジとして、例えば、感光ドラムと、感光ドラムの周面に付着した転写残トナーや紙粉などの異物を電気的に除去するためのクリーニングローラとを備えるプロセスカートリッジが知られている（たとえば、特許文献１参照。）。
【０００４】
このプロセスカートリッジには、本体ケーシングからのバイアスをクリーニングローラに供給するためのクリーニングローラ電極が設けられている。
【先行技術文献】
【特許文献】
【０００５】
【特許文献１】特開２００９−１６２９１１号公報
【発明の概要】
【発明が解決しようとする課題】
【０００６】
しかるに、上記した特許文献１に記載の感光体カートリッジにおいて、成型加工の容易さなどの観点から、クリーニングローラ電極などの電極を導電性の樹脂で形成することが検討される場合がある。
【０００７】
この場合、感光体カートリッジを誤って落下させるなどしたときに、クリーニングローラ電極とクリーニングローラとが接触していると、クリーニングローラの荷重がクリーニングローラ電極に作用し、クリーニングローラ電極が破損するおそれがある。
【０００８】
本発明の目的は、感光体カートリッジを誤って落下させるなどしたときに、カートリッジ電極が破損することを抑制できる感光体カートリッジを提供することにある。
【課題を解決するための手段】
【０００９】
（１）上記した目的を達成するために、本発明の感光体カートリッジは、感光体と、感光体の軸線方向一方側端部を回転可能に保持する第１側壁と、感光体の軸線方向他方側端部を回転可能に保持する第２側壁と、第１側壁と第２側壁との間に配置され、感光体に対して軸線方向と直交する方向から対向する回転体と、第１側壁に配置され、回転体に接触して外部から入力される電力を回転体に供給するためのカートリッジ電極と、を備える。
【００１０】
カートリッジ電極は、軸線方向に沿って延びており、軸線方向において、回転体の一方側の端面に接触するように構成される第１接触部と、軸線方向において、第１側壁を挟んで回転体とは反対側に配置される第２接触部であって、外部の電極に接触するように構成された第２接触部と、を有する。
【００１１】
第１側壁は、軸線方向に貫通し、カートリッジ電極が内部に配置される開口部と、軸線方向と直交する方向において、開口部と重なるように配置された当接部であって、端面と当接するように構成される当接部と、を有する。
【００１２】
そして、カートリッジ電極は、第１接触部が当接部よりも軸線方向一方側に移動するように、軸線方向に移動可能である。
【００１３】
このような構成によれば、感光体カートリッジを誤って落下させるなどした場合に、回転体を第１側壁の当接部に当接させるとともに、カートリッジ電極を、第１接触部が当接部よりも軸線方向外側に配置させるように、軸線方向に移動させることができる。
【００１４】
これにより、回転体の荷重を当接部で受けながら、カートリッジ電極の第１接触部を回転体から離間させることができ、回転体の荷重がカートリッジ電極に作用することを防止できる。
【００１５】
その結果、感光体カートリッジを誤って落下させるなどしたときに、カートリッジ電極が破損することを抑制できる。
（２）また、当接部の少なくとも一部は、軸線方向と直交する方向において、第１接触部よりも回転体の軸線に対して近い位置に配置されていてもよい。
【００１６】
このような構成によれば、軸線に近い位置において、回転体を当接部に当接させることができる。
【００１７】
そのため、回転体を当接部に確実に当接させることができ、回転体の荷重がカートリッジ電極に作用することを確実に防止できる。
（３）また、回転体は、軸線方向に移動可能であってもよい。この場合、カートリッジ電極の軸線方向における移動可能な距離は、回転体の軸線方向における移動可能な距離よりも大きくてもよい。
【００１８】
このような構成によれば、回転体が軸線方向に移動可能である場合に、カートリッジ電極を回転体から確実に離間させることができる。
（４）また、カートリッジ電極は、回転体の周面に接触され、回転体を回転可能に保持する保持部を備えていてもよい。
【００１９】
このような構成によれば、カートリッジ電極を利用して、回転体を回転可能に保持することができる。
【００２０】
そのため、回転体を保持する部材を別途設けることなく、部品点数の低減を図りながら、回転体への電力の供給と、回転体の保持とを実現することができる。
（５）また、回転体は、感光体と回転体との対向方向に移動可能であってもよい。この場合、第１側壁は、カートリッジ電極を対向方向に移動可能に支持する支持部を有してもよい。
【００２１】
このような構成によれば、回転体を、感光体の回転に追従するように対向方向に移動させることができる。これにより、回転体を感光体に対して確実に接触させることができる。
【００２２】
また、カートリッジ電極を、回転体の対向方向への移動に追従するように対向方向に移動させることができる。これにより、カートリッジ電極を回転体に対して確実に接触させることができる。
（６）また、支持部は、回転体に向かって突出し軸線方向に延びる係合部を有してもよい。また、保持部は、係合部と係合するように軸線方向に延びる溝状の被係合部を有してもよい。
【００２３】
このような構成によれば、第１側壁の係合部とカートリッジ電極の被係合部との係合により、カートリッジ電極が回転体の回転に追従して回転することを規制することができる。
【００２４】
これにより、外部からの電力をカートリッジ電極に確実に供給することができる。
（７）また、被係合部と当接部とは、連続していてもよい。
【００２５】
このような構成によれば、回転体が当接部に当接されたときに、被係合部を利用して当接部を支持することができる。
【００２６】
そのため、回転体が当接部に当接されたときに、回転体の荷重を当接部によって確実に受けることができる。
（８）また、当接部は、感光体と回転体との対向方向に沿って設けられていてもよい。
【００２７】
このような構成によれば、カートリッジ電極を、当接部に沿って移動させることができる。
【００２８】
そのため、当接部を開口部内に配置することができながら、カートリッジ電極を回転体に対して確実に追従させることができる。
（９）また、当接部は、軸線方向および対向方向の両方と直交する直交方向に突出する突出部を有してもよい。
【００２９】
このような構成によれば、回転体に対する当接部の接触面積を、突出部の分、増大させることができる。
【００３０】
そのため、回転体の荷重を、当接部によってより確実に受けることができる。
（１０）また、当接部は、軸線方向における厚みの方が、直交方向における厚みよりも厚くてもよい。
【００３１】
このような構成によれば、軸線方向において、当接部の強度を確保することができる。
【００３２】
そのため、回転体の荷重を、当接部によってより一層確実に受けることができる。
（１１）また、第１接触部は、直交方向において、当接部の両側に配置されていてもよい。
【００３３】
このような構成によれば、当接部の直交方向両側の空間を利用して、カートリッジ電極を回転体に確実に接触させることができる。
（１２）また、カートリッジ電極は、軸線方向に投影したときに回転体と重なるように配置されていてもよい。
【００３４】
このような構成によれば、カートリッジ電極を回転体に対して軸線方向一方側から押しつけたときに、カートリッジ電極を回転体の軸線方向一方側の端面に対して確実に接触させることができる。
【００３５】
そのため、カートリッジ電極と回転体とを、確実に導通させることができる。
【発明の効果】
【００３６】
本発明の感光体カートリッジによれば、感光体カートリッジを誤って落下させるなどしたときに、カートリッジ電極が破損することを抑制できる。
【図面の簡単な説明】
【００３７】
【図１】図１は、本発明の感光体カートリッジの一実施形態としてのドラムカートリッジを備えるプリンタの中央断面図である。
【図２】図２は、図１に示すドラムカートリッジの前上側から見た斜視図である。
【図３】図３は、図２に示すベースフレームに対する感光ドラムおよびドラムクリーニングローラの組み付け状態を説明するための説明図であって、（ａ）は、ドラムカートリッジを前上側から見た斜視図であって、カバーフレームが外された状態を示し、（ｂ）は、クリーニングローラ軸受およびドラム軸受を説明するための説明図である。
【図４】図４は、図３に示す右ドラム軸受を示し、（ａ）は、右上側から見た斜視図であり、（ｂ）は、左上側から見た斜視図である。
【図５】図５は、図３に示すドラムクリーニング電極を示し、（ａ）は、平面図を示し、（ｂ）は、右側面図を示し、（ｃ）は、左側面図を示し、（ｄ）は、左後側から見た斜視図である。
【図６】図６は、右ドラム軸受に対するドラムクリーニング電極の組み付け状態を説明する説明図である。
【図７】図７は、ドラムクリーニング電極とローラ軸との接触状態を説明する説明図である。
【図８】図８は、図７とともに、ドラムクリーニング電極とローラ軸との接触状態を説明する説明図であって、ローラ軸接触部がローラ軸に接触されている状態を示し、（ａ）は、図７のＡ−Ａ断面に相当する断面図であり、（ｂ）は、図７のＢ−Ｂ断面に相当する断面図である。
【図９】図９は、図７とともに、ドラムクリーニング電極とローラ軸との接触状態を説明する説明図であって、ローラ軸接触部がローラ軸から離間されている状態を示し、（ａ）は、図７のＡ−Ａ断面に相当する断面図であり、（ｂ）は、図７のＢ−Ｂ断面に相当する断面図である。
【発明を実施するための形態】
【００３８】
１．プリンタの全体構成
図１に示すように、プリンタ１は、横置きタイプのダイレクトタンデム型カラープリンタである。
【００３９】
なお、以下の説明において、プリンタ１の方向に言及するときには、プリンタ１を水平に載置した状態を上下の基準とする。すなわち、図１の紙面上側が上側であり、紙面下側が下側である。また、図１の紙面左側が前側であり、図１の紙面右側が後側である。また、プリンタ１を前側から見たときを左右の基準とする。すなわち、図１の紙面手前側が右側であり、紙面奥側が左側である。なお、左右方向は、第１方向の一例であり、上下方向は、第２方向の一例であり、前後方向は、第３方向の一例である。また、右側は、第１方向の一方側の一例であり、左側は、第１方向の他方側の一例である。また、上側は、第２方向の一方側の一例であり、下側は、第２方向の他方側の一例である。また、前側は、第３方向の一方側の一例であり、後側は、第３方向の他方側の一例である。
【００４０】
プリンタ１は、外部の一例としての本体ケーシング２を備えている。本体ケーシング２は、略ボックス形状に形成されている。本体ケーシング２の上端部には、本体開口部３を開閉するトップカバー４が、その後端部を支点として揺動可能に設けられている。プリンタ１は、複数のプロセスカートリッジ５を備えている。
【００４１】
複数のプロセスカートリッジ５は、本体ケーシング２内に着脱可能に設けられ、互いに間隔を隔てて、具体的には４つ、並列配置されている。また、複数のプロセスカートリッジ５のそれぞれは、複数の色、具体的にはブラック、イエロー、マゼンタ、シアンのうちの１つに対応している。
【００４２】
プロセスカートリッジ５は、感光体カートリッジの一例としてのドラムカートリッジ６と、ドラムカートリッジ６に着脱可能に装着される現像カートリッジ７とを備えている。
【００４３】
ドラムカートリッジ６は、感光体の一例としての感光ドラム８と、スコロトロン型帯電器９と、回転体の一例としてのドラムクリーニングローラ１０とを備えている。
【００４４】
感光ドラム８は、ドラムカートリッジ６の後下側端部において、右側面視反時計回りに回転可能に設けられている。感光ドラム８は、軸線方向の一例としての左右方向に長手の略円筒形状に形成されている。
【００４５】
スコロトロン型帯電器９は、感光ドラム８の後上側に間隔を隔てて対向配置されている。
【００４６】
ドラムクリーニングローラ１０は、感光ドラム８の後側に対向配置されている。すなわち、プリンタ１の前後方向は、感光ドラム８とドラムクリーニングローラ１０との対向方向の一例である。ドラムクリーニングローラ１０は、感光ドラム８に対して後側から接触されている。ドラムクリーニングローラ１０は、感光ドラム８の回転に追従して、右側面視時計回りに回転される。
【００４７】
現像カートリッジ７は、現像ローラ１１と、供給ローラ１２とを備えている。
【００４８】
現像ローラ１１は、現像カートリッジ７の後下側端部において後下側へ露出されるように設けられている。現像ローラ１１は、感光ドラム８に対して前上側から接触されている。現像ローラ１１は、右側面視時計回りに回転可能である。
【００４９】
供給ローラ１２は、現像ローラ１１の前上側に配置され、現像ローラ１１に前上側から接触されている。供給ローラ１２は、右側面視時計回りに回転可能である。
【００５０】
また、現像カートリッジ７は、現像ローラ１１に上側から接触される層厚規制ブレード１３を備えている。また、現像カートリッジ７には、供給ローラ１２および層厚規制ブレード１３の上側において、トナーが収容されている。
【００５１】
そして、プリンタ１に印刷ジョブが入力されると、画像形成動作が開始される。すると、現像カートリッジ７内のトナーは、供給ローラ１２と現像ローラ１１との間で摩擦帯電され、層厚規制ブレード１３により、一定厚さの薄層として現像ローラ１１の表面に担持される。
【００５２】
一方、感光ドラム８の表面は、スコロトロン型帯電器９によって一様に帯電された後、感光ドラム８の上側に対向配置されるＬＥＤユニット１４によって所定の画像データに基づいて露光される。これにより、感光ドラム８の表面には、画像データに基づく静電潜像が形成される。そして、現像ローラ１１に担持されるトナーが感光ドラム８の表面上の静電潜像に供給されることにより、感光ドラム８の表面上にトナー像が担持される。
【００５３】
用紙Ｐは、本体ケーシング２の底部に設けられる給紙トレイ１５内に収容されており、各種ローラによって、後上側へＵターンするように搬送されて、所定のタイミングで１枚ずつ、感光ドラム８と搬送ベルト１６との間に給紙される。そして、搬送ベルト１６によって、すべての感光ドラム８と、対応するすべての転写ローラ１７との間を前側から後側に向かって搬送される。このとき、用紙Ｐにトナー像が転写される。
【００５４】
そして、用紙Ｐは、加熱ローラ１８と加圧ローラ１９との間を通過するときに加熱および加圧される。このとき、用紙Ｐには、トナー像が熱定着される。
【００５５】
その後、用紙Ｐは、前上側へＵターンするように搬送されて、トップカバー４に設けられる排紙トレイ２０に排紙される。
２．ドラムカートリッジ
ドラムカートリッジ６は、図２および図３に示すように、ドラムフレーム３０と、左右１対のドラム軸受３１と、クリーニングローラ軸受３２と、カートリッジ電極の一例としてのドラムクリーニング電極３３と、複数の押圧部材３４とを備えている。
【００５６】
なお、以下のドラムカートリッジ６の説明において方向について言及するときには、感光ドラム８が配置されている側を後側とし、スコロトロン型帯電器９が配置されている側を上側とする。すなわち、ドラムカートリッジ６に関する上下前後方向は、プリンタ１に関する上下前後方向と異なり、ドラムカートリッジ６は、その後側がプリンタ１の後下側、その前側がプリンタ１の前上側となるように、プリンタ１に装着されている。また、プリンタ１から離脱された状態のドラムカートリッジ６において、感光ドラム８とドラムクリーニングローラ１０との対向方向は、後上側と前下側とを結ぶ方向である。
（１）ドラムフレーム
ドラムフレーム３０は、ベースフレーム３５と、カバーフレーム３６とを備えている。
【００５７】
ベースフレーム３５は、平面視略矩形の有底枠形状に形成されている。ベースフレーム３５は、左右１対の側壁３７と、前壁３８と、下壁３９と、後壁４０を備えている。
【００５８】
１対の側壁３７は、前後上下に延びる側面視略矩形状に形成されている。側壁３７は、軸受嵌合部４１を有している。また、右側の側壁３７は、電極露出部４２を有している。
【００５９】
軸受嵌合部４１は、側壁３７の後端部において、側壁３７の上端部から下側へ向かって凹む側面視略Ｕ字形状に形成されている。
【００６０】
電極露出部４２は、右側の側壁３７の後端部において、軸受嵌合部４１の後側に配置され、側壁３７の上端部から下側へ向かって凹む側面視略矩形状に形成されている。
【００６１】
前壁３８は、１対の側壁３７の前端部間に架設されている。前壁３８は、上下方向に延びる略平板形状に形成されている。
【００６２】
下壁３９は、１対の側壁３７の下端部間に架設されている。下壁３９は、前壁３８の下端部に連続して後側へ延びる略平板形状に形成されている。
【００６３】
後壁４０は、１対の側壁３７の後端部間に架設されている。後壁４０は、下壁３９の後端部に連続して上側へ延びる略平板形状に形成されている。後壁４０は、複数の押圧部材収容部４３を備えている。
【００６４】
複数の押圧部材収容部４３のそれぞれは、後壁４０の左右両端部のそれぞれに１つずつ配置されている。押圧部材収容部４３は、前後方向に延び、前端部が開放された平面視略矩形の枠形状に形成されている。
【００６５】
なお、図１に示すように、下壁３９の後端部と後壁４０の下端部との連続部分には、感光ドラム８を下側へ露出するように、左右方向に長手のドラム露出開口４４が貫通形成されている。
【００６６】
カバーフレーム３６は、図２に示すように、左右方向に延び、上端部が閉鎖され、前端部および下端部が開放された平面視略矩形の枠形状に形成されている。カバーフレーム３６は、感光ドラム８を上側から被覆するように、ベースフレーム３５の後端部に上側から組み合わされている。また、カバーフレーム３６には、スコロトロン型帯電器９が支持されている。
【００６７】
そして、ドラムフレーム３０において、下壁３９の後側半分と、下壁３９の後側半分に対応する１対の側壁３７と、カバーフレーム３６とによって、ドラム収容部４５が区画されている。
【００６８】
また、ドラムフレーム３０において、下壁３９の前側半分と、下壁３９の前側半分に対応する１対の側壁３７と、前壁３８と、カバーフレーム３６の前端縁とによって、現像カートリッジ７を装着するための現像カートリッジ装着部４６が区画されている。
（２）感光ドラムおよびドラムクリーニングローラ
感光ドラム８は、図２および図３に示すように、ドラム収容部４５の前端部内に収容されている。感光ドラム８は、ドラム本体４７と、左右１対のフランジ部材４８とを備えている。
【００６９】
ドラム本体４７は、金属からなり、左右方向に延びる略円筒形状に形成されている。ドラム本体４７の外周面には、感光層が被覆されている。
【００７０】
１対のフランジ部材４８のそれぞれは、ドラム本体４７の左右両端部のそれぞれに固定されている。フランジ部材４８は、樹脂からなり、挿入部４９と、被支持部５０とを一体的に備えている。
【００７１】
挿入部４９は、フランジ部材４８の左右方向内側半分であり、左右方向に延びる略円柱形状に形成されている。挿入部４９は、ドラム本体４７内に相対回転不能に挿入されている。なお、左側のフランジ部材４８の挿入部４９には、その左端部において、ドラム駆動ギア５１が設けられている。
【００７２】
被支持部５０は、フランジ部材４８の左右方向外側半分であり、挿入部４９の中央部分から左右方向外側へ突出する略円柱形状に形成されている。被支持部５０の外径は、挿入部４９の外径よりも小径である。被支持部５０は、挿入部４９と中心軸線を共有している。
【００７３】
ドラムクリーニングローラ１０は、図３に示すように、ドラム収容部４５の後端部内に配置されている。ドラムクリーニングローラ１０は、ローラ軸５２と、ローラ本体５３とを備えている。
【００７４】
ローラ軸５２は、左右方向に延びる略円柱形状に金属から形成されている。ローラ軸５２の左端部には、左側のフランジ部材４８のドラム駆動ギア５１と噛み合うクリーニングローラ駆動ギア５４が相対回転不能に設けられている。
【００７５】
ローラ本体５３は、スポンジからなり、ローラ軸５２の左右方向中央部分を被覆し、ローラ軸５２の左右両端部を露出する略円筒形状に形成されている。
（３）感光ドラムの軸受に関する構成
（３−１）左ドラム軸受
第２側壁の一例としての左側のドラム軸受３１は、ドラムフレーム３０の左側の側壁３７に支持され、感光ドラム８の左端部を回転可能に支持している。なお、以下の説明において、左側のドラム軸受３１を左ドラム軸受３１Ｌとする。左ドラム軸受３１Ｌは、前後方向に延び、その前後方向中央部が略円形状に膨出する略平板形状に形成されている。左ドラム軸受３１Ｌは、フランジ支持部６１と、クリーニング軸受支持部６２とを一体的に備えている。
【００７６】
フランジ支持部６１は、左ドラム軸受３１Ｌの前後方向略中央において、略円板形状に形成されている。フランジ支持部６１は、フランジ支持穴６３と、カラー部６４とを有している。
【００７７】
フランジ支持穴６３は、フランジ支持部６１の中央部において、側面視略円形状に貫通形成されている。フランジ支持穴６３の直径は、左側のフランジ部材４８の被支持部５０の外径とほぼ同径である。
【００７８】
カラー部６４は、フランジ支持穴６３の周縁部から左側へ突出する略円筒形状に形成されている。カラー部６４の内径は、フランジ支持穴６３の内径と同径である。カラー部６４の外径は、左側の側壁３７の軸受嵌合部４１の前後方向長さとほぼ同じ長さである。カラー部６４内には、フランジ支持穴６３を介して、左側のフランジ部材４８の被支持部５０が相対回転可能に嵌合されている。カラー部６４は、左側の側壁３７の軸受嵌合部４１内に嵌合されている。
【００７９】
クリーニング軸受支持部６２は、フランジ支持部６１の後上側端部から連続して後上側へ延びる略平板形状に形成されている。クリーニング軸受支持部６２には、クリーニング軸受支持穴６５と、軸受係止溝６６とが形成されている。
【００８０】
クリーニング軸受支持穴６５は、後上側と前下側とを結ぶ方向に延び、クリーニング軸受支持部６２を左右方向に貫通する長穴である。
【００８１】
軸受係止溝６６は、クリーニング軸受支持穴６５の前下側端部から連続して前下側へ切欠かれるように、後上側が開放された側面視略Ｕ字形状に形成されている。
（３−２）右ドラム軸受
第１側壁の一例としての右側のドラム軸受３１は、図３および図４に示すように、ドラムフレーム３０の右側の側壁３７に支持され、感光ドラム８の右端部を回転可能に支持している。なお、以下の説明において、右側のドラム軸受３１を右ドラム軸受３１Ｒとする。右ドラム軸受３１Ｒは、前後方向に延び、その前後方向中央部が略円形状に膨出する略平板形状に形成されている。右ドラム軸受３１Ｒは、フランジ支持部６７と、支持部の一例としての電極支持部６８とを一体的に備えている。
【００８２】
フランジ支持部６７は、右ドラム軸受３１Ｒの前後方向略中央において、略円板形状に形成されている。フランジ支持部６７は、フランジ支持穴６９と、カラー部７０とを有している。
【００８３】
フランジ支持穴６９は、フランジ支持部６７の中央部において、側面視略円形状に貫通形成されている。フランジ支持穴６９の直径は、右側のフランジ部材４８の被支持部５０の外径とほぼ同径である。
【００８４】
カラー部７０は、フランジ支持穴６９の周縁部から右側へ突出し、右端部が閉鎖された略円筒形状に形成されている。カラー部７０の内径は、フランジ支持穴６９の直径と同径である。カラー部７０の外径は、右側の側壁３７の軸受嵌合部４１の前後方向長さとほぼ同じ長さである。カラー部７０内には、フランジ支持穴６９を介して、右側のフランジ部材４８の被支持部５０が相対回転可能に嵌合されている。カラー部７０は、右側の側壁３７の軸受嵌合部４１内に嵌合されている。また、カラー部７０は、シャフト７１を備えている。
【００８５】
シャフト７１は、カラー部７０と径方向中央において、カラー部７０の右壁を貫通するように支持されている。シャフト７１は、金属などの導電性材料からなり、左右方向に延びる略円柱形状に形成されている。シャフト７１は、ドラムカートリッジ６が本体ケーシング２に装着された状態で、本体ケーシング２の図示しないアース電極に接触され、感光ドラム８のドラム本体４７をアースする。
【００８６】
電極支持部６８は、フランジ支持部６７の後上側端部から連続して後上側へ延びる略平板形状に形成されている。電極支持部６８は、開口部の一例としての電極支持穴７２と、当接部の一例としてのローラ軸当接部７３と、電極支持筒７４とを有している。
【００８７】
電極支持穴７２は、後上側と前下側とを結ぶ方向に延び、電極支持部６８を左右方向に貫通する長穴である。後上側と前下側とを結ぶ方向における電極支持穴７２の長さは、後述するドラムクリーニング電極３３のローラ軸保持部９１の外径よりも長い。前上側と後下側とを結ぶ方向における電極支持穴７２の長さは、後述するドラムクリーニング電極３３のローラ軸保持部９１の外径とほぼ同じ長さである。
【００８８】
ローラ軸当接部７３は、電極支持穴７２内に配置されている。ローラ軸当接部７３は、後上側と前下側とを結ぶ方向に延びる略角柱形状に形成されている。ローラ軸当接部７３は、電極支持穴７２内において、前上側と後下側とを結ぶ方向の略中央に配置されている。ローラ軸当接部７３は、その後上側端部が電極支持穴７２の後上側内面に接続され、その前下側端部が電極支持穴７２の前下側内面に接続されるように、電極支持穴７２内に架設されている。つまり、ローラ軸当接部７３は、後上側と前下側とを結ぶ方向に投影したときに、電極支持穴７２と重なるように配置されている。ローラ軸当接部７３の左右方向における厚みは、前上側と後下側とを結ぶ方向におけるローラ軸当接部７３の厚みよりも厚い。前上側と後下側とを結ぶ方向は、感光ドラム８とドラムクリーニングローラ１０との対向方向、および、感光ドラム８の軸線方向と直交する直交方向の一例である。また、ローラ軸当接部７３は、突出部７５を備えている。
【００８９】
突出部７５は、ローラ軸当接部７３の左端部の前上面から前上側へ突出するように、側面視略半円形状に形成されている。
【００９０】
電極支持筒７４は、電極支持穴７２の周縁部から左側へ突出する略円筒形状に形成されている。電極支持筒７４は、係合凹部７６と、複数の係合部の一例としてのガイド部７７とを有している。
【００９１】
係合凹部７６は、電極支持筒７４の上側周壁の左端縁から右側へ向かって切り欠かれるように、左端部が開放される平面視略Ｕ字形状に形成されている。
【００９２】
複数のガイド部７７のそれぞれは、電極支持筒７４の後上側端部および前下側端部のそれぞれに設けられている。後上側のガイド部７７は、電極支持筒７４の後上側端部の内面から前下側へ突出し、左右方向に延びる突条である。後上側のガイド部７７は、ローラ軸当接部７３の後上側端部に連続している。前下側のガイド部７７の右端部は、電極支持筒７４の前下側端部の内面から後上側へ突出し、左右方向に延びる突条である。前下側のガイド部７７の右端部は、ローラ軸当接部７３の前下側端部に連続している。
（４）ドラムクリーニングローラの軸受に関する構成
（４−１）クリーニングローラ軸受
クリーニングローラ軸受３２は、図３に示すように、左側のフランジ部材４８の右側に配置され、ドラムクリーニングローラ１０の左端部を回転可能に支持している。クリーニングローラ軸受３２は、後端部が幅狭となる側面視略雫形の平板形状に形成されている。クリーニングローラ軸受３２は、軸受部８１と、係止ボス８２と、フランジ挿通穴８３とを有している。
【００９３】
軸受部８１は、クリーニングローラ軸受３２の後端部において、クリーニングローラ軸受３２を左右方向に貫通し、クリーニングローラ軸受３２の左面から左側へ突出する略円筒形状に形成されている。軸受部８１の内径は、ローラ軸５２の外径とほぼ同径に形成されている。軸受部８１の外径は、後上側と前下側とを結ぶ方向におけるクリーニング軸受支持穴６５の長さよりも短く、前上側と後下側とを結ぶ方向におけるクリーニング軸受支持穴６５の長さとほぼ同じ長さである。軸受部８１内には、クリーニングローラ駆動ギア５４の左側において、ローラ軸５２の左端部が嵌合されている。軸受部８１は、左ドラム軸受３１Ｌのクリーニング軸受支持穴６５内に、後上側と前下側とを結ぶ方向に移動可能に嵌合されている。
【００９４】
係止ボス８２は、軸受部８１の前下側に配置され、クリーニングローラ軸受３２の左面から左側へ突出する略角柱形状に形成されている。係止ボス８２は、左ドラム軸受３１Ｌの軸受係止溝６６内に遊びを有して嵌合されている。
【００９５】
フランジ挿通穴８３は、クリーニングローラ軸受３２の前端部において、係止ボス８２の前下側に配置されている。フランジ挿通穴８３は、前後方向に長手の側面視長穴形状に貫通形成されている。前上側と後下側とを結ぶ方向におけるフランジ挿通穴８３の長さは、左側のフランジ部材４８の被支持部５０の外径よりも長い。後上側と前下側とを結ぶ方向におけるフランジ挿通穴８３の長さは、前上側と後下側とを結ぶ方向におけるフランジ挿通穴８３の長さよりも長い。フランジ挿通穴８３内には、左側のフランジ部材４８の被支持部５０が、フランジ挿通穴８３の内面に接触しないように挿通されている。
（４−２）ドラムクリーニング電極
ドラムクリーニング電極３３は、図５に示すように、例えば、ポリアセタール樹脂などの導電性樹脂から、左右方向に延び、右端部が閉鎖された略円筒形状に形成されている。ドラムクリーニング電極３３は、第２接触部の一例としての本体電極接触部９２と、保持部の一例としてのローラ軸保持部９１と、第１接触部の一例としてのローラ軸接触部９３とを一体的に備えている。
【００９６】
本体電極接触部９２は、ドラムクリーニング電極３３の右端部に配置され、後上側と前下側とに延びる側面視略矩形の平板形状に形成されている。
【００９７】
ローラ軸保持部９１は、本体電極接触部９２の左面から左側へ延びる略円筒形状に形成されている。ローラ軸保持部９１は、第１保持部分９４と、第２保持部分９５とを有している。
【００９８】
第１保持部分９４は、本体電極接触部９２の前上側端部の左側に配置されている。第１保持部分９４は、左右方向に延び、右端部が閉鎖された略半円筒形状に形成されている。第１保持部分９４は、その後下側端部の右端部において、本体電極接触部９２の前上側端部に連続されている。第１保持部分９４は、１対の切り込み９６と、係止爪９７とを有している。なお、図８（ａ）に示すように、第１保持部分９４の右壁の左面と本体電極接触部９２の左面との左右方向距離Ｌ１は、ローラ軸当接部７３の右端縁と突出部７５の右面との左右方向距離Ｌ２とほぼ同じ距離である。
【００９９】
１対の切り込み９６のそれぞれは、図５に示すように、第１保持部分９４の上側周壁の左端縁から右側へ向かって切り欠かれ、第１保持部分９４の周方向に互いに間隔を隔てて配置されている。切り込み９６は、第１保持部分９４の左側半分に形成されている。
【０１００】
係止爪９７は、１対の切り込み９６の間に配置され、左右方向に延び、その左端部において上側へ屈曲される略鉤形状に形成されている。
【０１０１】
第２保持部分９５は、第１保持部分９４の後下側に間隔を隔てて対向配置されている。第２保持部分９５は、本体電極接触部９２の後下側端部の左面から左側へ延び、第１保持部分９４と同じ曲率中心および曲率半径を有する部分円筒形状に形成されている。第２保持部分９５の後上側端部は、第１保持部分９４の後上側端部の後下側に間隔を隔てて対向配置されている。第２保持部分９５の前下側端部は、第１保持部分９４の前下側端部の後下側に間隔を隔てて対向配置されている。
【０１０２】
第１保持部分９４の後上側端部と第２保持部分９５の後上側端部との間、および、第１保持部分９４の前下側端部と第２保持部分９５の前下側端部との間が、被係合部の一例としてのガイド溝１００である。
【０１０３】
ローラ軸接触部９３は、ローラ軸保持部９１の径方向内側に配置されている。ローラ軸接触部９３は、第１当接部分９８と、第２当接部分９９とを有している。
【０１０４】
第１当接部分９８は、第１保持部分９４の右側内面から左側へ突出し、第１保持部分９４と中心軸線を共有する略半円筒形状に形成されている。第１当接部分９８の後下側端縁は、側面視において、第１保持部分９４の後下側端縁に重なるように配置されている。第１当接部分９８の左右方向長さは、右ドラム軸受３１Ｒの突出部７５の左右方向長さよりも長い。
【０１０５】
第２当接部分９９は、本体電極接触部９２の左面から左側へ延びる略角柱形状に形成されている。第２当接部分９９の後下側端部は、第２当接部分９９の後下側の内周面に連続されている。第２当接部分９９の前上側端部は、側面視において、第２保持部分９５の後上側端部と前下側端部とを結ぶ仮想線Ｌに沿って延びている。また、図８（ａ）に示すように、第２当接部分９９の左端縁は、前上側と後下側とを結ぶ方向に投影したときに、第１当接部分９８の左端縁と重なるように配置されている。
【０１０６】
そして、ドラムクリーニング電極３３は、図６および図７に示すように、右ドラム軸受３１Ｒの電極支持穴７２内に、後上側と前下側とを結ぶ方向にわずかに移動するように、右側から嵌合されている。
【０１０７】
この状態において、本体電極接触部９２は、右ドラム軸受３１Ｒの右側に対向配置されている。すなわち、本体電極接触部９２は、右ドラム軸受３１Ｒを挟んで、左右方向に投影したときにドラムクリーニングローラ１０と重なるように、ドラムクリーニングローラ１０の反対側に配置されている。また、図３に示すように、本体電極接触部９２は、ベースフレーム３５の電極露出部４２内に遊びを有して嵌合されている。
【０１０８】
また、図６および図７に示すように、ローラ軸当接部７３は、第１当接部分９８と第２当接部分９９との間に、後上側と前下側とを結ぶ方向に移動可能に嵌合されている。突出部７５は、第１当接部分９８内に遊びを有して嵌合されている。ガイド部７７は、対応するガイド溝１００内に、後上側と前下側とを結ぶ方向に移動可能に嵌合されている。
【０１０９】
また、図７および図８に示すように、係止爪９７の左端部は、係合凹部７６内に遊嵌されている。ドラムクリーニング電極３３は、図９に示すように、係止爪９７の左端部が係合凹部７６の右側内周面に当接するまで右側へ移動可能である。
【０１１０】
係止爪９７の左端部が係合凹部７６の右側内周面に当接したときには、図９（ａ）に示すように、第１当接部分９８および第２当接部分９９の左端縁は、ローラ軸当接部７３の左面よりも右側に配置される。
【０１１１】
また、ドラムクリーニング電極３３は、図３および図８に示すように、ローラ軸保持部９１がローラ軸５２の周面に接触されるように、ローラ軸５２の径方向外側から、ローラ軸５２の右端部に相対回転可能に嵌合されている。
【０１１２】
この状態において、突出部７５は、図７に示すように、ドラムクリーニングローラ１０の軸線Ａと重なるように配置されている。つまり、ローラ軸当接部７３の突出部７５は、第１当接部分９８および第２当接部分９９よりもドラムクリーニングローラ１０の軸線Ａに近い位置に配置されている。ドラムクリーニング電極３３は、第１当接部分９８および第２当接部分９９がローラ軸５２の左端縁に当接されるまで、左側へ移動可能である。
【０１１３】
第１当接部分９８および第２当接部分９９がローラ軸５２の左端縁に当接されたときには、第１当接部分９８および第２当接部分９９の左端縁は、ローラ軸当接部７３の左面よりも左側に配置される。
（５）押圧部材
複数の押圧部材３４のそれぞれは、図３に示すように、複数の押圧部材収容部４３のそれぞれの内側に、後下側と前上側とを結ぶ方向にスライド可能に嵌合されている。押圧部材３４は、後下側と前上側とを結ぶ方向に延びる略角柱形状に形成されている。押圧部材３４は、軸当接部８４を備えている。
【０１１４】
軸当接部８４は、押圧部材３４の前下側端部に設けられ、左右方向に延び、その前下側端部が開放された略円筒形状に形成されている。軸当接部８４は、ドラムクリーニングローラ１０のローラ軸５２に対して、後上側から相対回転可能に嵌合されている。
【０１１５】
また、押圧部材３４は、常には、図示しない圧縮ばねの付勢力により前下側へ付勢されている。
３．本体側電極
本体ケーシング２内には、図２に示すように、プロセスカートリッジ５の右側近傍において、本体側電極１０１が設けられている。
【０１１６】
本体側電極１０１は、金属などの導電性と弾性とを有する材料から、左右方向に延びる螺旋形状に形成されている。また、本体側電極１０１の左端部には略円環形状の接点部１０２が設けられている。本体側電極１０１は、本体ケーシング２内の電源（図示せず）に電気的に接続されている。
４．クリーニングローラの位置決め
プロセスカートリッジ５が本体ケーシング２に装着されると、図２および図８に示すように、プロセスカートリッジ５のドラムクリーニング電極３３の本体電極接触部９２の右面が、本体側電極１０１の接点部１０２に左側から当接される。
【０１１７】
すると、本体側電極１０１の弾性によって、ドラムクリーニング電極３３が左側へ押圧される。
【０１１８】
すると、ドラムクリーニング電極３３が、第１当接部分９８および第２当接部分９９において、ローラ軸５２の右端面に当接され、ローラ軸５２を左側へ押圧する。
【０１１９】
これにより、ドラムクリーニングローラ１０は、ドラムクリーニング電極３３とともに左側へ移動され、クリーニングローラ軸受３２および左ドラム軸受３１Ｌを介して、ドラムフレーム３０の左側の側壁３７の内面に押し付けられる。
【０１２０】
このように、ドラムクリーニングローラ１０が左右方向において位置決めされる。
【０１２１】
このとき、係止爪９７の左端部と係合凹部７６の右側内周面との左右方向距離Ｄ１は、ローラ軸５２の右端部とローラ軸当接部７３との左右方向距離Ｄ２よりも大きい。
【０１２２】
なお、係止爪９７の左端部と係合凹部７６の右側内周面との左右方向距離Ｄ１は、ドラムクリーニング電極３３の右側への移動可能距離であり、ローラ軸５２の右端部とローラ軸当接部７３との左右方向距離Ｄ２は、ドラムクリーニングローラ１０の右側への移動可能距離である。すなわち、ドラムクリーニング電極３３の右側への移動可能距離は、ドラムクリーニングローラ１０の右側への移動可能距離よりも大きい。
５．クリーニング動作
以下、図１および図３を参照して、ドラムクリーニングローラ１０による感光ドラム８表面のクリーニング動作を説明する。
【０１２３】
プロセスカートリッジ５が本体ケーシング２に装着されて、本体ケーシング２内の駆動源（図示せず）からの駆動力が感光ドラム８に入力されると、感光ドラム８がその中心軸線を中心に回転されるとともに、ドラム駆動ギア５１を介して、クリーニングローラ駆動ギア５４に駆動力が伝達される。
【０１２４】
すると、クリーニングローラ駆動ギア５４からローラ軸５２に駆動力が伝達され、ドラムクリーニングローラ１０が回転される。
【０１２５】
このとき、ドラムクリーニングローラ１０は、感光ドラム８の回転に追従して、前後方向に弾性的にわずかに移動される。
【０１２６】
そして、本体ケーシング２内の図示しない電源から本体側電極１０１を介してドラムクリーニング電極３３にクリーニングバイアスが入力されると、感光ドラム８の周面に付着したトナーや紙粉などの付着物が、ドラムクリーニングローラ１０に転写される。
【０１２７】
これにより、感光ドラム８の周面がクリーニングされる。
６．ドラムクリーニング電極の退避
現像カートリッジ７やドラムカートリッジ６をメンテナンスするときには、トップカバー４を開放し、本体開口部３を介して本体ケーシング２からプロセスカートリッジ５を離脱させて、現像カートリッジ７やドラムカートリッジ６をメンテナンスする。このとき、ユーザが誤ってドラムカートリッジ６を落下させてしまう場合がある。
【０１２８】
この場合、図９に示すように、落下の衝撃により、ドラムクリーニングローラ１０が右側へ移動される場合がある。
【０１２９】
すると、ドラムクリーニング電極３３は、ドラムクリーニングローラ１０のローラ軸５２に押圧されて、右側へ移動される。
【０１３０】
このとき、ドラムクリーニングローラ１０のローラ軸５２は、その右端面において、右ドラム軸受３１Ｒのローラ軸当接部７３に左側から当接され、それ以上の右側への移動が規制される。
【０１３１】
一方、ドラムクリーニング電極３３は、第１当接部分９８および第２当接部分９９がローラ軸当接部７３よりも右側に配置されるように、係止爪９７の左端部が係合凹部７６の右側内周面に当接するまで、さらに右側へ移動される。
【０１３２】
すると、ドラムクリーニング電極３３の第１当接部分９８および第２当接部分９９は、ローラ軸５２の左端部から右側へ離間される。
【０１３３】
これにより、ドラムクリーニングローラ１０の荷重がドラムクリーニング電極３３の第１当接部分９８および第２当接部分９９にかかることが、防止される。
７．作用効果
（１）このドラムカートリッジ６によれば、図９に示すように、ドラムクリーニング電極３３は、第１当接部分９８および第２当接部分９９がローラ軸当接部７３よりも右側に移動するように構成されている。
【０１３４】
そのため、ドラムカートリッジ６を誤って落下させるなどした場合に、ドラムクリーニングローラ１０のローラ軸５２を、右ドラム軸受３１Ｒのローラ軸当接部７３に当接させるとともに、第１当接部分９８および第２当接部分９９がローラ軸当接部７３よりも右側に配置させるように、ドラムクリーニング電極３３を右側へ移動させることができる。
【０１３５】
これにより、ドラムクリーニングローラ１０の荷重をローラ軸当接部７３で受けながら、ドラムクリーニング電極３３の第１当接部分９８および第２当接部分９９を、ドラムクリーニングローラ１０のローラ軸５２から離間させることができ、ドラムクリーニングローラ１０の荷重がドラムクリーニング電極３３に作用することを防止できる。
【０１３６】
その結果、ドラムカートリッジ６を誤って落下させるなどしたときに、ドラムクリーニング電極３３が破損することを抑制できる。
（２）また、このドラムカートリッジ６によれば、図６および図７に示すように、ローラ軸当接部７３の突出部７５は、ドラムクリーニングローラ１０の軸線Ａに重なっている。
【０１３７】
そのため、ドラムクリーニングローラ１０の回転中心において、ローラ軸当接部７３をドラムクリーニングローラ１０に当接させることができる。
【０１３８】
その結果、ドラムクリーニングローラ１０をローラ軸当接部７３に確実に当接させることができ、ドラムクリーニングローラ１０の荷重がドラムクリーニング電極３３に作用することを確実に防止できる。
（３）また、このドラムカートリッジ６によれば、図８に示すように、ドラムクリーニング電極３３の第１当接部分９８および第２当接部分９９がローラ軸５２の左端部に接触されたときには、係止爪９７の左端部と係合凹部７６の右側内周面との左右方向距離Ｄ１は、ローラ軸５２の右端部とローラ軸当接部７３との左右方向距離Ｄ２よりも大きい。
【０１３９】
そのため、ドラムクリーニングローラ１０の移動距離よりも大きな移動距離で、ドラムクリーニング電極３３を、右側へ移動させることができる。
【０１４０】
その結果、確実に、ドラムクリーニング電極３３をドラムクリーニングローラ１０のローラ軸５２から離間させることができる。
（４）また、このドラムカートリッジ６によれば、図３および図８に示すように、ドラムクリーニング電極３３を利用して、ドラムクリーニングローラ１０を回転可能に保持することができる。
【０１４１】
そのため、ドラムクリーニングローラ１０を保持する部材を別途設けることなく、部品点数の低減を図りながら、ドラムクリーニングローラ１０への電力の供給と、ドラムクリーニングローラ１０の保持とを実現することができる。
（５）また、このドラムカートリッジ６によれば、図３および図７に示すように、クリーニング動作において、ドラムクリーニングローラ１０は、感光ドラム８とドラムクリーニングローラ１０との対向方向に移動される。
【０１４２】
これにより、ドラムクリーニングローラ１０を感光ドラム８の回転に追従させることができ、ドラムクリーニングローラ１０を感光ドラム８に対して確実に接触させることができる。
【０１４３】
また、右ドラム軸受３１Ｒの電極支持部６８の電極支持穴７２には、ドラムクリーニングローラ１０の右端部に相対回転可能に外嵌されるドラムクリーニング電極３３が、感光ドラム８とドラムクリーニングローラ１０との対向方向に移動可能に嵌合されている。
【０１４４】
これにより、ドラムクリーニング電極３３を、ドラムクリーニングローラ１０の移動に追従させることができ、ドラムクリーニング電極３３をドラムクリーニングローラ１０のローラ軸５２に対して確実に接触させることができる。
（６）また、このドラムカートリッジ６によれば、図６に示すように、右ドラム軸受３１Ｒのガイド部７７と、ドラムクリーニング電極３３のガイド溝１００との係合により、ドラムクリーニング電極３３がドラムクリーニングローラ１０の回転に追従して回転することを規制することができる。
【０１４５】
これにより、ドラムクリーニング電極３３の本体電極接触部９２と本体側電極１０１とを確実に接触させることができ、本体ケーシング２からの電力をドラムクリーニング電極３３に確実に供給することができる。
（７）また、このドラムカートリッジ６によれば、図４に示すように、ガイド部７７とローラ軸当接部７３とは連続している。
【０１４６】
そのため、ドラムクリーニングローラ１０がローラ軸当接部７３に当接されたときに、ガイド部７７を利用してローラ軸当接部７３を支持することができる。
【０１４７】
その結果、ドラムクリーニングローラ１０がローラ軸当接部７３に当接されたときに、ドラムクリーニングローラ１０の荷重をローラ軸当接部７３によって確実に受けることができる。
（８）また、このドラムカートリッジ６によれば、図４に示すように、ローラ軸当接部７３は、感光ドラム８とドラムクリーニングローラ１０との対向方向に沿って設けられている。
【０１４８】
そのため、ドラムクリーニング電極３３を、ローラ軸当接部７３に沿って移動させることができる。
【０１４９】
その結果、ローラ軸当接部７３を電極支持穴７２内に配置することができながら、ドラムクリーニング電極３３をドラムクリーニングローラ１０に対して確実に追従させることができる。
（９）また、このドラムカートリッジ６によれば、図４に示すように、ローラ軸当接部７３は、前上側に突出する突出部７５を有してもよい。
【０１５０】
そのため、ドラムクリーニングローラ１０に対するローラ軸当接部７３の接触面積を、突出部７５の分、増大させることができる。
【０１５１】
その結果、ドラムクリーニングローラ１０の荷重を、ローラ軸当接部７３によって、より確実に受けることができる。
（１０）また、このドラムカートリッジ６によれば、図４に示すように、ローラ軸当接部７３は、左右方向における厚みの方が、前上側と後下側とを結ぶ方向における厚みよりも厚い。
【０１５２】
そのため、左右方向において、ローラ軸当接部７３の強度を確保することができる。
【０１５３】
その結果、ドラムクリーニングローラ１０の荷重を、ローラ軸当接部７３によって、より一層確実に受けることができる。
（１１）また、このドラムカートリッジ６によれば、図６に示すように、第１当接部分９８および第２当接部分９９は、前上側と後下側とを結ぶ方向において、ローラ軸当接部７３の両側に配置されていてもよい。
【０１５４】
そのため、ローラ軸当接部７３の前上側および後下側の空間を利用して、ドラムクリーニング電極３３をドラムクリーニングローラ１０に確実に接触させることができる。
（１２）また、このドラムカートリッジ６によれば、図３および図７に示すように、ドラムクリーニング電極３３は、左右方向に投影したときにドラムクリーニングローラ１０と重なるように配置されている。
【０１５５】
そのため、ドラムクリーニング電極３３をドラムクリーニングローラ１０に対して右側から押しつけたときに、ドラムクリーニング電極３３をドラムクリーニングローラ１０の右端面に対して確実に接触させることができる。
【０１５６】
そのため、ドラムクリーニング電極３３とドラムクリーニングローラ１０とを、確実に導通させることができる。
８．変形例
上記した実施形態では、右ドラム軸受３１Ｒを介して、右側の側壁３７に感光ドラム８の右側のフランジ部材４８を支持させ、左ドラム軸受３１Ｌを介して、左側の側壁３７に感光ドラム８の左側のフランジ部材４８を支持させている。
【０１５７】
しかし、感光ドラム８の右側のフランジ部材４８は、直接、右側の側壁３７に支持されてもよく、感光ドラム８の左側のフランジ部材４８は、直接、左側の側壁３７に支持されてもよい。
【０１５８】
この場合、右側の側壁３７が第１側壁として機能し、左側の側壁３７が第２側壁として機能する。
【０１５９】
また、上記した実施形態では、回転体の一例としてドラムクリーニングローラ１０を挙げ、ドラムクリーニング電極３３が感光ドラム８と接触するドラムクリーニングローラ１０にバイアスを供給するように構成したが、この構成は、感光ドラム８に対向されて本体ケーシング２からバイアスが印加される各種の回転体（例えば、転写ローラ、帯電ローラ、現像ローラなど）に適用することができる。
【０１６０】
また、上記した実施形態では、電極支持穴７２が前後方向に長手の長穴形状を有していたが、電極支持穴７２の形状は、ドラムクリーニング電極３３が前後方向において遊嵌可能であれば特に限定されない。例えば、電極支持穴７２は、ドラムクリーニング電極３３の前後方向長さよりも長い直径を有する略円形状に形成されていてもよい。
【０１６１】
また、上記した実施形態では、プロセスカートリッジ５を、感光ドラム８を備えるドラムカートリッジ６と、現像ローラ１１を備える現像カートリッジ７とに分離するように構成しているが、プロセスカートリッジ５の構成は、ドラムカートリッジ６と現像カートリッジ７とが分離可能である構成に限定されない。例えば、プロセスカートリッジ５を、上記したドラムカートリッジ６に相当するドラムユニットと、上記した現像カートリッジ７に相当する現像ユニットとを一体的に、すなわち、分離されないように備える一体型として構成することもできる。
【符号の説明】
【０１６２】
６      ドラムカートリッジ
８      感光ドラム
１０    ドラムクリーニングローラ
３１Ｌ  左ドラム軸受
３１Ｒ  右ドラム軸受
３３    ドラムクリーニング電極
６８    電極支持部
７２    電極支持穴
７３    ローラ軸当接部
７５    突出部
７７    ガイド部
９１    ローラ軸保持部
９２    本体電極接触部
９３    ローラ軸接触部
１００  ガイド溝
Ａ      軸線
Ｄ１    左右方向距離
Ｄ２    左右方向距離
【図１】
2014106349.tif 000003
【図２】
2014106349.tif 000004
【図３】
2014106349.tif 000005
【図４】
2014106349.tif 000006
【図５】
2014106349.tif 000007
【図６】
2014106349.tif 000008
【図７】
2014106349.tif 000009
【図８】
2014106349.tif 000010
【図９】
2014106349.tif 000011